(57)【要約】      （修正有）【課題】釣竿の元竿と、穂先の保護を図る釣竿保護具を提供する。【解決手段】大小の筒体を備えた有底形状の保護具を、可撓性のプラスチック素材で形成し、大の筒体の前面を開放し、開放した隙間を緊縮、又は弛緩可能とするとともに、大の筒体の周壁の長手方向に二条のスリットを対峙して開設し、スリットに、巻付帯を差込み、かつ支持可能とする構成とした釣竿保護具で、壊れ易い、釣竿の基部と、穂先の先部を、保護具で確実に保護できる。【選択図】図１
0003172655.tif 000002
【実用新案登録請求の範囲】
【請求項１】
大小の筒体を備えた有底形状の保護具を、可撓性のプラスチック素材で形成し、この大の筒体の前面を開放し、この開放した隙間を緊縮、又は弛緩可能とするとともに、この大の筒体の周壁の長手方向に二条のスリットを対峙して開設し、このスリットに、巻付帯を差込み、かつ支持可能とする構成とした釣竿保護具。
【請求項２】
請求項１に記載の釣竿保護具であって、
前記大の筒体の隙間に、長手方向に向った舌片を立設し、この舌片にフックが係止される透孔を開設する構成とした釣竿保護具。
【請求項３】
請求項１に記載の釣竿保護具であって、
前記有底を形成する底部は、可撓性のプラスチック素材で形成するが、他の部位より、肉厚で形成し、強度と衝撃緩和を図る構成とした釣竿保護具。
【請求項４】
請求項１に記載の釣竿保護具であって、
前記フックを、人に袈裟切り状に取付けるベルトに、係止し、人の背中に背負う構成とした釣竿保護具。
【請求項５】
請求項１に記載の釣竿保護具であって、
前記大の筒体に、釣竿の元竿を、小の筒体に穂先を収容する構成とした釣竿保護具。
【考案の詳細な説明】
【技術分野】
【０００１】
本考案は、釣竿の元竿と、穂先の保護を図る釣竿保護具に関する。
【背景技術】
【０００２】
昨今、釣竿と付属品等は、年々高価となり、その保管時、移動（釣り場における移動、乗物での移動等）時に於いて、損傷回避と、保護を図ることに対する要望が多くなっている。これらの要望を受けて、釣竿保護具としては、下記のような各文献が挙げられるので、その一例を説明する。
【０００３】
文献（１）は、釣竿を束ねて緊締、かつ保護する構造であり、特開２００９−１５３４３１号公報に記載の発明がある。この発明は、一枚の軟質性樹脂素材の保護本体を捲装して、釣竿を保護するものであり、巻付体を利用して、この保護本体で、複数の釣竿を保護する構造である。従って、釣竿の周囲を保護できるが、釣竿と穂先の保護には、不向きであること、また、この発明は、有底形状でなく、釣竿の底部と、繋ぎ部、又は穂先を保護するには、十分でないと考えられる。
【０００４】
文献（２）は、ガイド支持部と竿先、又は穂先を保護する構造であり、特開２００４−３５０５７５号公報に記載の発明がある。この発明は、釣竿用トップカバーであり、筒状のカバー本体に、その底部から開口差込み部に向かって、串刺し式のガイド杆を立設した構造であり、このカバー本体に竿先、又は穂先を収容するとともに、ガイド杆に第１ガイド乃至第ｎガイド杆を串刺しに保護することを特徴とする。しかし、この構造では、釣竿の底部と、繋ぎ部、又は穂先を保護するには、十分でない。また、この発明は、釣竿と、繋ぎ部、又は穂先を、緊締して保護する構造でなく、この釣竿、穂先の確実な保護を図るには、十分でないと考えられる。
【０００５】
文献（３）は、有底の箱体を備えた釣竿保持具であり、特開２００８−７２９３４号公報に記載の発明がある。この発明は、釣竿保持具を面ファスナーを介して、人の脚部に支持し、この箱体で、元竿を保持する構造である。しかし、この発明は、元竿を保持することのみであること、歩行時においては、邪魔となり、かつこの歩行時に於いて、元竿を保護することには、問題である。
【０００６】
【特許文献１】特開２００９−１５３４３１号公報
【特許文献２】特開２００４−３５０５７５号公報
【特許文献３】特開２００８−７２９３４号公報
【考案の概要】
【考案が解決しようとする課題】
【０００７】
以上で説明した文献（１）〜（３）では、釣竿を個別に保護するには適する。しかし、釣竿のみの保護に特化する構造となっており、元竿の底部とか、穂先等の保護に於いて、改良の余地がある。また、保管時、移動時において、損傷回避と、安心感を享受するには、問題を残している。
【０００８】
上記に鑑み、本考案は、下記のことを意図する。
「イ」  元竿と穂先を、大小の筒体を介して、確実に保護し、かつこの両者が、ブレルことなく、保持すること、
「ロ」  元竿の底部と、大小の筒体と底部を介して、穂先の先端の如く、釣竿として、最も保護が必要とする箇所を確実に保護すること、
「ハ」  元竿と穂先を、大小の筒体を介して、確実に保護し、かつ緊締することで、保管時、移動時において、損傷回避と、安心できる構造を提案すること、
「ニ」  保護具を、可撓性のプラスチック素材で形成し、かつ底部以外の三方向を解放することで、元竿と穂先を、確実に保護し、かつ緊締すること、
「ホ」  前記「イ」〜「ニ」を達成するに最適な、それぞれの個別の構造を提案すること、等にある。
【課題を解決するための手段】
【０００９】
請求項１の考案は、前記「イ」〜「ニ」を達成することを意図する。
【００１０】
請求項１は、大小の筒体を備えた有底形状の保護具を、可撓性のプラスチック素材で形成し、この大の筒体の前面を開放し、この開放した隙間を緊縮、又は弛緩可能とするとともに、この大の筒体の周壁の長手方向に二条のスリットを対峙して開設し、このスリットに、巻付帯を差込み、かつ支持可能とする構成とした釣竿保護具である。
【００１１】
請求項２の考案は、前記「イ」〜「ニ」を達成すること、これを達成するために、「ホ」に示した大の筒体に舌片を設けるように改良を施すことを意図する。
【００１２】
請求項２は、請求項１に記載の釣竿保護具であって、
前記大の筒体の隙間に、長手方向に向った舌片を立設し、この舌片にフックが係止される透孔を開設する構成とした釣竿保護具である。
【００１３】
請求項３の考案は、前記「イ」〜「ニ」を達成すること、これを達成するために、「ホ」に示した有底を形成する底部に改良を施すことを意図する。
【００１４】
請求項３は、請求項１に記載の釣竿保護具であって、
前記有底を形成する底部は、可撓性のプラスチック素材で形成するが、他の部位より、肉厚で形成し、強度と衝撃緩和を図る構成とした釣竿保護具である。
【００１５】
請求項４の考案は、前記「イ」〜「ニ」を達成すること、これを達成するために、「ホ」に示したフックが係止できる構造の提案を意図する。
【００１６】
請求項４は、請求項１に記載の釣竿保護具であって、
前記フックを、人に袈裟切り状に取付けるベルトに、係止し、人の背中に背負う構成とした釣竿保護具である。
【００１７】
請求項５の考案は、前記「イ」〜「ニ」を達成すること、これを達成するために、「ホ」に示した大小の筒体の構造の提案を意図する。
【００１８】
請求項５は、請求項１に記載の釣竿保護具であって、
前記大の筒体に、釣竿の元竿を、小の筒体に穂先を収容する構成とした釣竿保護具である。
【考案の効果】
【００１９】
請求項１の考案は、大小の筒体を備えた有底形状の保護具を、可撓性のプラスチック素材で形成し、大の筒体の前面を開放し、開放した隙間を緊縮、又は弛緩可能とするとともに、大の筒体の周壁の長手方向に二条のスリットを対峙して開設し、スリットに、巻付帯を差込み、かつ支持可能とする構成とした釣竿保護具である。
【００２０】
従って、請求項１は、下記の特徴がある。
「イ」  元竿と穂先を、大小の筒体を介して、確実に保護し、かつこの両者が、ブレルことなく、保持できる。
「ロ」  元竿の底部と、大小の筒体と底部を介して、穂先の先端の如く、釣竿として、最も保護が必要とする箇所を確実に保護できる。
「ハ」  元竿と穂先を、大小の筒体を介して、確実に保護し、かつ緊締することで、保管時、移動時において、損傷回避と、安心できる構造となる。
「ニ」  保護具を、可撓性のプラスチック素材で形成し、かつ底部以外の三方向を解放することで、元竿と穂先を、確実に保護し、かつ緊締できる。
【００２１】
請求項２の発明は、請求項１に記載の釣竿保護具であって、
大の筒体の隙間に、長手方向に向った舌片を立設し、舌片にフックが係止される透孔を開設する構成とした釣竿保護具である。
【００２２】
従って、請求項２は、前記「イ」〜「ニ」の特徴と、下記の特徴がある。
「ホ」  前記「イ」〜「ニ」を達成するに、最適な大の筒体に設けた舌片の構造を提供できる。
【００２３】
請求項３の考案は、請求項１に記載の釣竿保護具であって、
有底を形成する底部は、可撓性のプラスチック素材で形成するが、他の部位より、肉厚で形成し、強度と衝撃緩和を図る構成とした釣竿保護具である。
【００２４】
従って、請求項３は、前記「イ」〜「ニ」の特徴と、下記の特徴がある。
「ホ」  前記「イ」〜「ニ」を達成するに、最適な有底を形成する底部の構造を提供できる。
【００２５】
請求項４の考案は、請求項１に記載の釣竿保護具であって、
フックを、人に袈裟切り状に取付けるベルトに、係止し、人の背中に背負う構成とした釣竿保護具である。
【００２６】
従って、請求項４は、前記「イ」〜「ニ」の特徴と、下記の特徴がある。
「ホ」  前記「イ」〜「ニ」を達成するに、最適なベルトに係止可能なフックの構造を提供できる。
【００２７】
請求項５の考案は、請求項１に記載の釣竿保護具であって、
前記大の筒体に、釣竿の元竿を、小の筒体に穂先を収容する構成とした釣竿保護具である。
【００２８】
従って、請求項５は、前記「イ」〜「ニ」の特徴と、下記の特徴がある。
「ホ」  前記「イ」〜「ニ」を達成するに、最適な大小の筒体の構造を提供できる。
【図面の簡単な説明】
【００２９】
【図１】第一実施例における保護具と巻付帯とを示した側面図
【図２】図１の平面図
【図３】図１の正面図
【図４−１】図１の例における俯瞰斜視図
【図４−２】図４−１において、釣竿と穂先を収容した状態の俯瞰斜視図
【図４−３】図４−２において、釣竿と穂先を収容し、巻付体を緊締し、この釣竿と穂先を保護する状態の俯瞰斜視図
【図５−１】第二実施例における、釣竿と穂先を収容した状態の俯瞰斜視図
【図５−２】図５−１の状態で、舌片にフックを取付けた状態の俯瞰斜視図
【図６】第二実施例における移動時の使用状態を示した縮尺模式図
【考案を実施するための形態】
【００３０】
図中１は、可撓性のプラスチック素材でなる有底形状で、所定の肉厚でなる保護具で、この保護具１は、上部が開放２ａ、３ａ（開口と同じ、以下同じ構造とする）した大小の筒体２、３と、この大小の筒体２、３の底となる、開放２ａ、３ａと同じ形状（環状）の底部２ｂ、３ｂとで構成する。そして、この大の筒体２の前面２−１には、その縦方向Ａに開口する隙間２ｃを形成する。この隙間２ｃは、望ましくは、縦方向Ａにおいて、その周壁２ｄ、２ｄの略１／２を開口する構造である。また、大小の筒体２、３の連設部５を、開口することで、釣竿Ｘと穂先Ｙを同時に、この保護具１に収容する際に、同時に収容できることと、この収容後に、大の筒体２には、釣竿Ｘを、また、小の筒体３には、穂先Ｙをそれぞれ区別して収容できる。また、この収容で、それぞれの収容物の接触防止と、その接触等による損傷防止等に有効と考えられる。前記連設部５を利用して、大の筒体２より小の筒体３に、例えば、穂先Ｙの移動が図れる。従って、例えば、大の筒体２に、釣竿Ｘと穂先Ｙを、同時に差込み、その後、前述の如く、移動することも可能であり、利便性と、使い勝手が良い等の優位性がある。図中Ｂは、大小の筒体２、３の径方向を示す。
【００３１】
また、この保護具１の大の筒体２の周壁２ｄには、対の差込み用のスリット６、６（６とする）が形成されている。このスリット６（差込み孔）は、その縦方向Ａに向ったスリット６である。尚、底部２ｂ、３ｂは、可撓性のプラスチック素材で形成するが、他の部位（大小の筒体２、３）より、肉厚で形成し、保護具１の強度、形状の確保と、釣竿Ｘ、及び／又は、穂先Ｙに対する衝撃緩和を図る構成となっている。
【００３２】
図中７は可撓性でなる巻付帯（ベルト、緊締帯）で、この巻付帯７には、面ファスー８の雄雌方式を備えてあり（その他として、例えば、釦方式、フック方式等も可能である）、この面ファスナー８で、巻付帯７の捲装長さ調整と、その緊締調整等を図る。そして、この巻付帯７は、前記保護具１の対のスリット６に差込まれるが、この一例では、大小の筒体２、３の連設部５の近傍である。
【００３３】
図中１０は大の筒体２の隙間２ｃに設けた同じ肉厚（保護具１の肉厚）でなる舌片で、この舌片１０の基端は、大の筒体２の底部２ｂの前面２−１より所定の幅を持って立上り、両側に空間１０ａ、１０ｂを有し、保護具１の縦方向Ａの略１／２となっている。また、この舌片１０には、その基端側には透孔１１が開設されて入る。そして、この透孔１１には、フック１２が差込み、又は取外し自在に設けられる。
【００３４】
以下、使用の一例を、図４−１〜図４−３を基に説明すると、図４−１と図４−２の如く、保護具１のスリット６に、その両端が飛出すようにして、巻付帯７を差込んだ状態で、大の筒体２の開放２ａより、その底部２ｂに向って釣竿Ｘの基部を差込み、この釣竿Ｘの基部を筒部に差込むとともに、小の筒体３の開放３ａより、その底部３ｂに向って釣竿Ｘの基部を差込み、この穂先Ｙの先部を筒部に差込むことで、この大小の筒体２、３のそれぞれの筒部には、釣竿Ｘの基部と、穂先Ｙの先部とか差込まれ、かつこの釣竿Ｘの基部と、この穂先Ｙの先部には、巻付帯７が設けられる状態である。続いて、巻付帯７は、大の筒体２と舌片１２を捲込みながら、釣竿Ｘを緊締するようにして小の筒体３の後面３−１に向って、順次、捲装する。この捲装を介して、この釣竿Ｘの基部を大の筒体２の周壁２ｄで、穂先Ｙの先部を小の筒体３の周壁３ｄで、それぞれ緊締するが、その際に、巻付帯７の差込み部の緊張も利用して、確実、かつ強く、この大小の筒体２、３で、釣竿Ｘの基部と、穂先Ｙの先部とを縛り上げる（図４−３参照）。従って、壊れ易い、釣竿Ｘの基部と、穂先Ｙの先部とを、可撓性のプラスチック素材でなる有底形状の保護具１で、確実に保護できる構造となっている。従って、前述した、本考案の全ての特徴を達成できる。尚、巻付帯７は面ファスナー８で、最終的な緊締と、その緊締締め込みを図る構造である。
【００３５】
また、別の使用の一例（別の例とする）を、図５−１〜図６を基に説明すると、この別の例は、先の一例（図４−１〜図４−３の例）と異なる構造は、舌片１０を利用する構造であり、通常は、巻付帯７を捲装する際に、この舌片１０を外し、図５−１の状態とする。また、他には、例えば、捲装後に、この舌片１０を巻付帯７より抜出し（離脱）する等の手法で、図５−１の状態とする。この状態で、透孔１１にフック１２を取付ける。このフック１２を利用して、人Ｈに捲装した肩掛けベルト１３（背負いベルト）に係止することで、釣竿Ｘと、穂先Ｙを、肩に背負った状態で支持する。この例では、釣竿Ｘ等を、たも２１とともに背負った状態を図示した。従って、移動の容易性と、釣竿Ｘ、及び穂先Ｙの保護に有益である。その他の取扱と、保護具１と巻付帯７等の役割、機能は、前述の先の一例に準ずる。
【００３６】
尚、保護具１、又は舌片１０の必要とする角部２０は、Ｒ形状として、この保護具１の保護と、人Ｈの使用の容易性と、取扱の簡易化等を図る。
【符号の説明】
【００３７】
１              保護具
２              大の筒体
２−１          前面
２ａ            開放
２ｂ            底部
２ｃ            隙間
２ｄ            周壁
３              小の筒体
３−１          後面
３ａ            開放
３ｂ            底部
３ｄ            周壁
５              連設部
６              スリット
７              巻付帯
８              面ファスナー
１０            舌片
１０ａ          空間
１０ｂ          空間
１１            透孔
１２            フック
１３            ベルト
２０            角部
２１            たも
Ａ              縦方向
Ｂ              径方向
Ｘ              釣竿
Ｙ              穂先
Ｈ              人
【図１】
0003172655.tif 000003
【図２】
0003172655.tif 000004
【図３】
0003172655.tif 000005
【図４−１】
0003172655.tif 000006
【図４−２】
0003172655.tif 000007
【図４−３】
0003172655.tif 000008
【図５−１】
0003172655.tif 000009
【図５−２】
0003172655.tif 000010
【図６】
0003172655.tif 000011